(57)【要約】      （修正有）【課題】飲料用容器の径および高さに拘わらず安定的に飲料用容器を保持できるカップホルダーを提供する。【解決手段】飲料用容器１０，２０を収納可能な本体ホルダー１００と、容器挿入方向と略垂直な軸３０４を中心に回転可能で本体ホルダー１００内側に付勢され、軸止点３０４から遠い端末にかけて凸の突起を有した容器保持部材３０１と、容器挿入方向と略垂直な軸２０４を中心に下方に回転可能で上方に付勢される中間蓋２０１と、中間蓋２０１の下方回転を止めるように支持可能で容器保持部材３０１の回転軸と略平行な軸４０４を中心に本体ホルダー１００内側に付勢され回転またはスライド可能な中間蓋受け部材４０１とを備えており、容器保持部材３０１が、飲料用容器１０，２０に押されて本体ホルダー１００外側方向に回転して中間蓋受け部材４０１に当接し、本体ホルダー１００外側方向に回転またはスライドさせ、中間蓋の下方回転の係止めを解除させる。【選択図】図２
2010000823.tif 000002
【特許請求の範囲】
【請求項１】
飲料用容器（容器）を上面から挿入し収納するカップホルダーにおいて、飲料用容器（容器）を収納可能な本体ホルダーと、容器挿入方向と略垂直な軸を中心とした回転可能で本体ホルダー内側に付勢され、軸止点から遠い端末にかけて凸の突起を有した容器保持部材と、容器挿入方向と略垂直な軸を中心に容器挿入方向と垂直な面から下方に回転可能で上方に付勢される中間蓋と、前記中間蓋の下方回転を止めるように支持可能で前記容器保持部材の回転軸と略平行な軸を中心に本体ホルダー内側に付勢され回転またはスライド可能な中間蓋受け部材とを備えており、前記本体ホルダーには前記中間蓋の上方回転を略水平部で止める当て部と前記容器保持部材の本体ホルダー内側方向の回転を止める当て部が有り、前記容器保持部材が、飲料用容器に押されて本体ホルダー外側方向に回転して一定の回転角に達して前記中間蓋受け部材に当接し、前記中間蓋受け部材を本体ホルダー外側方向に回転またはスライドさせ、前記中間蓋の下方回転の係止めを解除させることを特徴とする、カップホルダー。
【請求項２】
容器保持部材が、飲料用容器に押されて本体ホルダー外側方向に回転して一定の回転角に達して初めて中間蓋受け部材に当接し、前記中間蓋受け部材を本体ホルダー外側方向に回転させ、中間蓋の下方回転の係止めを解除させることを特徴とする、請求項１に記載のカップホルダー。
【請求項３】
容器保持部材が、飲料用容器に押されて本体ホルダー外側方向に回転して一定の回転角に達して初めて中間蓋受け部材に当接し、前記中間蓋受け部材を本体ホルダー外側方向にスライドさせ、中間蓋の下方回転の係止めを解除させることを特徴とする、請求項１に記載のカップホルダー。
【発明の詳細な説明】
【技術分野】
【０００１】
本発明は，種々のサイズの飲料用容器を容易にかつ安定に保持するために設けられるカップホルダーに関する。
【背景技術】
【０００２】
近年飲料用容器には、種々の形状がある。これら種々の形状の容器を収納する方法については、さまざまなものが提案されている。たとえば、容器の大きさ（太さ）に対しては、容器保持部材が可変するもの、容器の高さに対しては、本体ホルダー部が二段になっており、容器の高さにより二段目を手動で可変させ、対応させたり（例えば特許文献１参照）、二段目がトレーになっており、そのトレーの脱着による対応などが一般的である。
【０００３】
【特許文献１】特開２００６−４４５１６号公報
【発明の開示】
【発明が解決しようとする課題】
【０００４】
このカップホルダーでは、ある一定の径および高さの飲料用容器を保持するものであり、大型飲料用容器については保持させることができないものであった。そこで本発明は、種々形状の飲料用容器の径および高さに拘わらず、飲料用容器を安定的に保持できるカップホルダーを提供することを目的とする。
【課題を解決するための手段】
【０００５】
本発明は、以下に関する。
（１）飲料用容器（容器）を上面から挿入し収納するカップホルダーにおいて、飲料用容器（容器）を収納可能な本体ホルダーと、容器挿入方向と略垂直な軸を中心とした回転可能で本体ホルダー内側に付勢され、軸止点から遠い端末にかけて凸の突起を有した容器保持部材と、容器挿入方向と略垂直な軸を中心に容器挿入方向と垂直な面から下方に回転可能で上方に付勢される中間蓋と、前記中間蓋の下方回転を止めるように支持可能で前記容器保持部材の回転軸と略平行な軸を中心に本体ホルダー内側に付勢され回転またはスライド可能な中間蓋受け部材とを備えており、前記本体ホルダーには前記中間蓋の上方回転を略水平部で止める当て部と前記容器保持部材の本体ホルダー内側方向の回転を止める当て部が有り、前記容器保持部材が、飲料用容器に押されて本体ホルダー外側方向に回転して一定の回転角に達して前記中間蓋受け部材に当接し、前記中間蓋受け部材を本体ホルダー外側方向に回転またはスライドさせ、前記中間蓋の下方回転の係止めを解除させることを特徴とする、カップホルダー。
（２）容器保持部材が、飲料用容器に押されて本体ホルダー外側方向に回転して一定の回転角に達して初めて中間蓋受け部材に当接し、前記中間蓋受け部材を本体ホルダー外側方向に回転させ、中間蓋の下方回転の係止めを解除させることを特徴とする、前記（１）に記載のカップホルダー。
（３）容器保持部材が、飲料用容器に押されて本体ホルダー外側方向に回転して一定の回転角に達して初めて中間蓋受け部材に当接し、前記中間蓋受け部材を本体ホルダー外側方向にスライドさせ、中間蓋の下方回転の係止めを解除させることを特徴とする、前記（１）に記載のカップホルダー。
【発明の効果】
【０００６】
本発明により、種々形状の飲料用容器の径および高さに拘わらず、飲料用容器を安定的に保持できるカップホルダーを提供することが可能となった。
【発明を実施するための最良の形態】
【０００７】
本発明のカップホルダーは、本体ホルダーと、中間蓋と、中間蓋受け部材と、容器保持部材とを備える。本体ホルダーの大きさや形状は特に限定されない。例えば自動車室内にこのカップホルダーを設置する場合には、本体ホルダーやその他の部品は、内装部品等と一体化し設置することもできるし、単独で設置することもできる。
【０００８】
本発明のカップホルダーは、飲料用容器（容器）を収納可能な本体ホルダーと、容器挿入方向と略垂直な軸を中心とした回転可能で、スプリング等により本体ホルダー内側方向に自動回転するように設定され、軸止点から遠い端末にかけて凸の突起を有した容器保持部材と、同じく容器挿入方向と略垂直な軸を中心に容器挿入方向と垂直な面から下方に回転可能で、スプリング等により上方に自動回転するように設定される中間蓋と、前記中間蓋の下方回転を止めるように支持可能で前記容器保持部材の回転軸と略平行な軸を中心に回転可能で、スプリング等により本体ホルダー内側方向に自動回転するよう設定される中間蓋受け部材とを備え、本体ホルダーには中間蓋の上方回転を略水平部で止める当て部と容器保持部材の本体ホルダー内側方向の回転を止める当て部が有る構造となっている。
【０００９】
そして、容器保持部材は飲料用容器（大型飲料用容器）に押されて本体ホルダー外側方向に回転して一定の回転角に達して初めて前記中間蓋受け部材に当接し、前記中間蓋受け部材を本体ホルダー外側方向に回転またはスライド（移動）させ、前記中間蓋の下方回転の係止めを解除させる構造となっている。この場合、前記中間蓋受け部材が移動し、前記中間蓋の下方回転の係止めを解除させるが、移動の形態としては、中間蓋受け部材を本体ホルダー外側方向に移動可能であれば特に限定しないが、回転あるいは、スライドさせる形態が挙げられる。
【００１０】
本発明において、小・中サイズ径の飲料用容器は容器保持部材がスプリング等による本体ホルダー内側への付勢力があるため、内縁形状で保持されると、同時に、この容器保持部材が飲料用容器（容器）により十分回転させられることもないため、中間蓋受け部材がしっかりと中間蓋を下受けしており、飲料用容器（容器）の下側は中間蓋で支えられる。本発明において、容器保持部材と中間蓋受け部材は直連動でなく、一定の回転角に達して初めて連動するよう離してあるため、小・中サイズの場合は中間蓋受け部材を動かすことはない。
【００１１】
さらに容器保持部材と中間蓋受け部材は共にスプリング等で付勢されているため、仮に小・中サイズの飲料用容器（容器）が容器保持部材を押した場合でもこの力では、容器保持部材だけでなく、中間蓋受け部材のスプリング等の２重の付勢力に逆らうことは難しく、中間蓋に保持されてこのサイズの容器の扱いに関する中間蓋の安定を提供している。また、容器保持部材においては、飲料用容器を保持するための曲率を持った形状を回転可能に軸止するとともに、該軸止点（シャフト）から遠い端末にかけて凸の突起を有しており、小・中サイズの飲料用容器（容器）は、この凸の突起を有する容器保持部材にて付勢されていることで、ガタ付きがすくなく保持される。
【００１２】
一方、大サイズ径の飲料用容器の場合は本体ホルダーのサイズを適正に設定することで、容器保持部材を本体ホルダー外側（容器外側）へ回転させながら、容器が挿入されるため、中間蓋受け部材の下受けが解除され、中間蓋が下に開放可能となり、大サイズの容器がホルダーに深く収納される。小・中サイズ径の容器は高さが低く、大サイズ径の容器は高さが高いため、本発明のカップホルダーによればサイズに応じた安定した保持ができると同時に、取り扱う高さがより一定になるメリットもある。
【００１３】
又、中間蓋はスプリング等により付勢されており、且つ水平位置で係り止めされる機構のため、大サイズ径の容器を抜くと同時に所定の位置に蓋が戻り、蓋の戻りに続いて下受けの部材が用意される。これらにより、自在に容器を差し込むだけで径サイズに応じた保持（ホールド）ができる。
【実施例】
【００１４】
本発明の実施形態を図１〜３を用いて説明するが、これらに限定されるものではない。
図１において、１は図示しない自動車等の車両に設けられたカップホルダーである。このカップホルダー１は、通常、車両のコンソール等に設けられている。図１、２においてカップホルダー１は、飲料容器挿入開口１０１と、飲料容器の底面支持部１０２を有する、本体ホルダー１００として形成されている。本体ホルダー１００は、中間蓋の回転逃げ開口１０３、中間蓋受け部材４０１の回転またはスライド逃げ開口１０５および容器保持部材３０１の回転逃げ開口１０４を有する。中間蓋の回転逃げ開口１０３の上方には、中間蓋２０１を固定するために、本体ホルダー１００から中間蓋用シャフト固定リブ１０６を有し、そのリブ１０６には、中間蓋用シャフト固定穴１０７が設定されている。また中間蓋２０１には、シャフト固定部２０２を有し、その固定部２０２には、シャフト用穴２０３が設定されている。
【００１５】
中間蓋用シャフト固定穴１０７とシャフト用穴２０３には、スプリング２０５を配置したシャフト２０４をＥリング２０６にて固定することで、本体ホルダー１００に中間蓋２０１が形成されている。中間蓋が回転時の位置を規制するために、本体ホルダー１００には、ストッパー部１０８を有する。また中間蓋２０１は、スプリング２０５によって、本体ホルダー１００の当て面（当て部）１０９に付勢されている。容器保持部材３０１の回転逃げ開口１０５の上方には、容器保持部材３０１を固定するために、本体ホルダー１００は容器保持部材用シャフト固定リブを有し、そのリブには、容器保持部材用シャフト固定穴が設定されている。
【００１６】
また容器保持部材３０１には、シャフト固定部３０２を有し、その固定部３０２には、シャフト用穴が設定されている。容器保持用シャフト固定穴とシャフト用穴には、スプリング３０５を配置したシャフト（軸止点）３０４をＥリングにて固定することで、本体ホルダー１００に容器保持部材３０１が形成されている。また容器保持部材３０１には、中間蓋受け部材４０１の押し当て部の３０７を有し、容器保持部材３０１は、スプリング３０５によって、本体ホルダー１００の当て面（当て部）１１２にて付勢される。容器保持部材３０１の上部には、中間蓋受け部材４０１を固定するため、本体ホルダー１００から中間蓋受け部材用シャフト固定リブ１１３を有し、そのリブ１１３には、中間蓋受け部材用シャフト固定穴が設定されている。
【００１７】
中間蓋受け部材４０１には、シャフト固定部４０２を有し、その固定部４０２には、シャフト用穴が設定されている。中間蓋受け部材用シャフト固定穴とシャフト用穴には、スプリング４０５を配置したシャフト４０４をＥリング４０６にて固定することで、本体ホルダー１００に中間蓋受け部材４０１が形成されている。中間蓋受け部材４０１は、スプリング４０５によって、本体ホルダー１００の当て面１１５にて付勢される。中間蓋受け部材４０１は、容器保持部材３０１の押し当て面（当て部）３０７の受け面４０７を有し、また中間蓋２０１が下方回転しないように中間蓋保持部（係止め）４０８を有している。
【００１８】
このカップホルダー１において、小型飲料用容器１０を挿入する場合は、小型飲料用容器１０が、凸の突起５０２とスプリング３０５を有する容器保持部材３０１に付勢されることで、図２（ａ）に示す基準位置に配置される。そのため容器保持部材３０１が中間蓋受け部材４０１を押圧することがないため、中間蓋２０１が中間受け部材４０１の中間蓋保持部（係止め）４０８にて保持されるため下方回転することが無く、小型用飲料用容器１０は、中間蓋２０１の上に配置される。また、押し当て部３０７と受け面４０７には十分なクリアランスがあり、さらに中間蓋２０１および中間蓋受け部材４０１はそれぞれスプリング２０５，４０５により本体ホルダー１００の中間蓋の付勢部１０９と中間蓋受け部材の付勢部１１５にて付勢されているため、多少の小型飲料用容器１０のサイズのバラツキや振動等で容器保持部材３０１が多少回転したとしても、中間蓋受け部材を回転させるまで至らないために、中間蓋２０１が下方回転することはない。さらに、小型飲料用容器は、スプリング３０５により、凸の突起５０２を有する容器保持部材３０１にて付勢されていることで、ガタ付きがすくなく保持される。
【００１９】
このカップホルダー１において、大型飲料用容器２０を挿入する場合は、挿入時に容器保持部材３０１に干渉し、押圧することでシャフト（軸止点）３０４を中心に回転する。回転した容器保持部材３０１の押し当て部３０７が中間蓋受け部材４０１の受け部４０７を押圧することで、中間蓋受け部材４０１がシャフト４０４を中心に回転し中間蓋保持部（係止め）４０８が中間蓋２０１から離れる。大型飲料用容器２０が中間蓋２０１を押圧することでシャフト２０４を中心に中間蓋が回転し大型飲料用容器２０の底面が本体ホルダー１００の底面支持部１０２に支持されることで大型飲料用容器２０が安定して保持されることとなる。また、大型飲料用容器２０をカップホルダー１から取出す時は、中間蓋２０１は、スプリング２０５によって上方回転し中間蓋の付勢部１０９に付勢する。その後大型飲料容器２０が容器保持部材３０１の容器付勢部５０１を抜けると、容器保持部材３０１がスプリング３０５によって上方回転し容器保持部材の付勢部に付勢される。さらに容器保持部材３０１の容器保持部材の押し当て部３０７が、中間蓋受け部材の受け面４０７の押圧を解除することで、中間蓋受け部材４０１は、スプリング４０５によって下方回転し中間蓋受け部材の付勢部に付勢されると同時に中間蓋２０１を中間蓋保持部（係止め）４０８にて保持する。
【００２０】
図３は、中間蓋受け部材４０１が本体ホルダー１００下端にある場合のカップホルダーの断面図である。このカップホルダー１において、小型飲料用容器１０を挿入する場合は、小型飲料用容器１０が、スプリング３０５を有する容器保持部材３０１に付勢されることで、基準位置に配置される。さらに、このカップホルダー１において、大型飲料用容器２０を挿入する場合は、挿入時に容器保持部材３０１に干渉し、押圧することでシャフト（軸止点）３０４を中心に回転する。回転した容器保持部材３０１の押し当て部３０７が中間蓋受け部材４０１の受け部４０７を押圧することで、中間蓋受け部材４０１がシャフト４０４を中心に回転し中間蓋保持部（係止め）４０８が中間蓋２０１から、スライドして離れる。大型飲料用容器２０が中間蓋２０１を押圧することでシャフト２０４を中心に中間蓋が回転し大型飲料用容器２０の底面が本体ホルダー１００の底面支持部１０２に支持されることで大型飲料用容器２０が安定して保持されることとなる。また、大型飲料用容器２０をカップホルダー１から取出す時は、中間蓋２０１は、スプリング２０５によって上方回転し中間蓋の付勢部１０９に付勢する。その後大型飲料用容器２０が容器保持部材３０１の容器付勢部を抜けると、容器保持部材３０１がスプリング３０５によって上方回転し容器保持部材の付勢部に付勢される。さらに容器保持部材３０１の容器保持部材の押し当て部３０７が、中間蓋受け部材の受け面４０７の押圧を解除することで、中間蓋受け部材４０１は、スプリング４０５によって、スライドし、中間蓋受け部材の付勢部に付勢されると同時に中間蓋２０１を中間蓋保持部（係止め）４０８にて保持する。
【００２１】
以上のようにカップホルダー１は、種々のサイズの飲料用容器を容易にかつ安定に保持するばかりか、飲料用容器の高さが自動で可変することで、飲料用容器の高さを一定にすることができる。
【図面の簡単な説明】
【００２２】
【図１】本発明に係わるカップホルダーの概略斜視図である。
【図２】（ａ）は、小型飲料用容器挿入時のカップホルダーの断面図であり、（ｂ）は、大型飲料用容器挿入時のカップホルダーの断面図である。
【図３】中間蓋受け部材が本体ホルダー下端にある場合のカップホルダーの断面図である。
【符号の説明】
【００２３】
１：カップホルダー
１０：小型飲料用容器、２０：大型飲料用容器
１００：本体ホルダー、１０１：飲料容器挿入開口、１０２底面支持部、１０３：中間蓋の回転逃げ開口、１０４：中間蓋受け部材の回転にげ開口、１０５：容器保持部材の回転またはスライド逃げ開口、１０６：中間蓋用シャフト固定リブ、１０７：中間蓋用シャフト固定穴、１０８：ストッパー部、１０９：中間蓋の付勢部（当て面または当て部）、１１２：容器保持部材の付勢部（当て面または当て部）、１１３：中間蓋受け部材用シャフト固定リブ、１１５：中間蓋受け部材の付勢部（当て面）
２０１：中間蓋、２０２：シャフト固定部、２０３：シャフト用穴、２０４：シャフト、２０５：スプリング、２０６：Ｅリング
３０１：容器保持部材、３０２：シャフト固定部、３０４：シャフト（軸止点）、３０５：スプリング、３０７：容器保持部材の押し当て部（当て面）
４０１：中間蓋受け部材、４０２：シャフト固定部、４０４：シャフト、４０５：スプリング、４０６：Ｅリング、４０７：中間蓋受け部材の受け面（受け部）、４０８：中間蓋保持部（係止め）
５０１：容器付勢部、５０２：凸の突起
【図１】
2010000823.tif 000003
【図２】
2010000823.tif 000004
【図３】
2010000823.tif 000005